(57)【要約】      （修正有）【課題】冷却手段が不要で天井や壁面に取り付け可能な軽量なコラーゲン生成促進ランプを提供する。【解決手段】赤色光を照射する照射部１１と、照射部を収容するハウジング１３とを備えたコラーゲン生成促進ランプ１であって、照射部は６３３ｎｍの波長を９５％以上含む赤色光を照射する発光ダイオード１５であって、ハウジングの内部に照射部および照射部を制御するドライバーユニット１２を設ける。調光制御ユニットにより、複数台のコラーゲン生成促進ランプを調光することも可能となっている。【選択図】図１
0003190435.tif 000002
【実用新案登録請求の範囲】
【請求項１】
赤色光を照射する照射部と、当該照射部を収容するハウジングとを備えたコラーゲン生成促進ランプにおいて、
上記照射部は６３３ｎｍの波長を９５％以上含む赤色光を照射する発光ダイオードであって、上記ハウジングの内部に上記照射部および当該照射部を制御するドライバーユニットを設けることを特徴とするコラーゲン生成促進ランプ。
【請求項２】
上記発光ダイオードを基板に配置するとともに、上記基板と上記ドライバーユニットとを配線を介して接続し、
上記ハウジングは２つの断面コ字形を有するとともに開口部が相互に向き合うように連結された第１、第２ハウジングによって構成され、
上記第１ハウジングはその底部が天井や壁面に固定されるとともに上記ドライバーユニットを保持し、
上記第２ハウジングの底部に上記赤色光を透過させる照射窓を形成するとともに、上記発光ダイオードが上記照射窓を向くように上記基板を保持することを特徴とする請求項１に記載のコラーゲン生成促進ランプ。
【請求項３】
上記天井は、薄板状の天井板と、当該天井板の背面に設けられて当該天井板を保持する金属製の梁とから構成され、
上記第１ハウジングの底部にネジを貫通させるネジ穴を設け、
上記第１ハウジングを上記梁の位置に沿って配置した状態で、上記ネジをネジ穴に挿入するとともに上記天井板を貫通させて、第１ハウジングと梁とを連結固定することを特徴とする請求項２に記載のコラーゲン生成促進ランプ。
【請求項４】
複数のコラーゲン生成促進ランプを設けるとともに各コラーゲン生成促進ランプのドライバーユニットを相互に接続し、
さらに調光制御ユニットを設けて、各コラーゲン生成促進ランプに電力を供給するとともに、上記ドライバーユニットを介して発光ダイオードによる赤色光の調光をすることを特徴とする請求項１ないし請求項３のいずれかに記載のコラーゲン生成促進ランプ。
【考案の詳細な説明】
【技術分野】
【０００１】
本考案はコラーゲン生成促進ランプに関し、詳しくは赤色光を照射することによりコラーゲンの生成を促進させるコラーゲン生成促進ランプに関する。
【背景技術】
【０００２】
従来、上記赤色光を人体の皮膚に照射すると、当該赤色光が表皮より真皮層まで到達し、これにより繊維芽細胞が活性化してコラーゲンの生成が促されるということが知られている。
そしてこのような赤色光を照射するコラーゲン生成促進ランプとして、上記赤色光を照射する照射部と、当該照射部を収容するハウジングとを備えたものが知られている。
【考案の概要】
【考案が解決しようとする課題】
【０００３】
しかしながら、従来のコラーゲン生成促進ランプでは上記照射部としてハロゲンランプや白熱球を使用しており、熱を発生させるという問題があった。
このため、上記ハロゲンランプ等を冷却するための冷却手段が必要であることから、コラーゲン生成性促進ランプ自体の重量が大きくなってしまい、天井や壁面に直接取り付けるのが困難であるという問題があった。
このような問題に鑑み、本考案は天井や壁面に取り付け可能な軽量なコラーゲン生成促進ランプを提供するものである。
【課題を解決するための手段】
【０００４】
すなわち請求項１にかかるコラーゲン生成促進ランプは、赤色光を照射する照射部と、当該照射部を収容するハウジングとを備えたコラーゲン生成促進ランプにおいて、
上記照射部は６３３ｎｍの波長を９５％以上含む赤色光を照射する発光ダイオードであって、上記ハウジングの内部に上記照射部および当該照射部を制御するドライバーユニットを設けることを特徴としている。
【考案の効果】
【０００５】
上記考案によれば、上記照射部を発光ダイオードとしたことにより、冷却手段が不要となるため、コラーゲン生成促進ランプ自体を軽量化することができ、天井や壁面への固定を行うことができる。
【図面の簡単な説明】
【０００６】
【図１】コラーゲン生成促進ランプの断面図。
【図２】コラーゲン生成促進ランプの側面図。
【図３】コラーゲン生成促進ランプを天井に配置した配置図。
【考案を実施するための形態】
【０００７】
以下図示実施例について説明すると、図１はエステティックサロンやフィットネスクラブの天井Ｒおよび当該天井Ｒに設けられたコラーゲン生成促進ランプ１の断面図を示し、図２はコラーゲン生成促進ランプ１の側面図を、図３はコラーゲン生成促進ランプ１を天井Ｒに配置した配置図を示している。
上記コラーゲン生成促進ランプ１は、図３に示すように複数台設置することが可能であり、その場合各コラーゲン生成促進ランプ１は室内の所要の位置に設けられた調光制御ユニット２によって制御され、また各コラーゲン生成促進ランプ１への電力もこの調光制御ユニット２を介して供給されるようになっている。
【０００８】
本実施例における天井Ｒは、例えば鉄筋コンクリート製の建造物に多くみられる形式となっており、図示しない鉄筋コンクリート製の躯体の下方につりさげられた金属製の梁３と、当該針に固定された薄板状の天井板４とから構成されている。
上記梁３は図３に示すように金属製で格子状に組み合わされており、上記躯体に図示しないつりさげ金具によってつりさげられている。また上記天井板４は木材や石膏で製造された薄板状の部材となっており、上記梁３の下面に固定されている。
上記構成を有する天井Ｒは、上記天井板４自体が強度を有さず、また上記梁３も上記つりさげ金具によってつりさげられていることから、重量物を固定することはできず、重量物を固定するには何らかの補強が必要となっている。
【０００９】
コラーゲン生成促進ランプ１は、赤色光を照射する照射部１１と、上記照射部１１を制御するドライバーユニット１２と、これらを収容するハウジング１３とから構成されている。
上記照射部１１は、上記ハウジング１３の長さに併せて設けた細長い基板１４と、当該基板１４上に配置された赤色光を照射する複数の赤色発光ダイオード１５とから構成されている。
本実施例では、ハウジング１３の長手方向の長さを１５００ｍｍとしており、その場合上記基板１４には１５０個の発光ダイオード１５を配置し、図１に示すように発光ダイオード１５を２列に配置している。
なお、後述する通りハウジング１３の長さや幅は適宜変更可能であり、基板１４の形状並びに発光ダイオード１５の数や配置を変更することが可能であることは言うまでもない。
上記発光ダイオード１５は、６３３ｎｍの波長を９５％以上含む赤色光を照射するようになっており、この波長の赤色光を人体の皮膚に照射すると、当該赤色光が表皮より真皮層まで到達し、繊維芽細胞が活性化され、コラーゲンの生成が促進されるという効果が期待される。
【００１０】
上記ドライバーユニット１２は上記発光ダイオード１５の発光を制御するものであって、従来公知であることから、その詳細については説明を省略するが、ドライバーユニット１２と上記基板１４との間には配線１６が設けられ、これらはコネクタ１６ａによって接離可能となっている。
また図３に示すように、コラーゲン生成促進ランプ１を複数台配置する際には、上記ドライバーユニット１２同士を接続するようになっており、これにより一つの調光制御ユニット２によってすべてのコラーゲン生成促進ランプ１を制御することが可能となっている。
そして上記調光制御ユニット２は、各コラーゲン生成促進ランプ１に電力を供給するとともに、上記ドライバーユニット１２を介して発光ダイオード１５による赤色光の調光をすることが可能となっている。
【００１１】
上記ハウジング１３は、２つの断面コ字形を有するとともに開口部が相互に向き合うように連結された第１、第２ハウジング１３ａ、１３ｂによって構成され、これらはいずれも薄板状の金属板を折り曲げて作成したものとなっている。
上記第１、第２ハウジング１３ａ、１３ｂの開口部にはそれぞれフランジ２１ａ、２１ｂが形成されており、これらのフランジ２１ａ、２１ｂを当接させることで、第１、第２ハウジング１３ａ、１３ｂの内部に上記照射部１１やドライバーユニット１２が収容される空間が形成されるようになっている。
上記第１ハウジング１３ａには所要の固定方法によって上記ドライバーユニット１２が保持され、また上方に位置する底部には所定の間隔でネジ穴２２が穿設されている。
上記第２ハウジング１３ｂには所要の固定方法によって上記基板１４が固定され、上記発光ダイオード１５が下方を向くとともに、下方に位置する底部には貫通孔２３が形成されており、当該貫通孔２３にはアクリルなどの上記赤色光を透過させる照射窓２４が装着されている。
【００１２】
上記構成を有するコラーゲン生成促進ランプ１を天井Ｒに設置する際には、最初に上記第１ハウジング１３ａを天井Ｒに固定し、その後当該第１ハウジング１３ａに第２ハウジング１３ｂを固定する作業を行うようになっている。
具体的には、まず上記第１ハウジング１３ａの長手方向を上記天井Ｒの梁３に沿って位置させ、この状態で底部を上記天井Ｒの天井板４に密着させ、上記ネジ穴２２にネジＳを挿入して天井板４を貫通させて、第１ハウジング１３ａを上記天井Ｒの梁３に固定する。
その状態で、第１ハウジング１３ａに固定されたドライバーユニット１２と上記第２ハウジング１３ｂに固定された基板１４とを、配線１６のコネクタ１６ａを連結することにより接続し、その後上記第１、第２ハウジング１３ｂａ、１３ｂのフランジ２１ａ、２１ｂを当接させて、これらをネジ等の手段によって連結固定する。
【００１３】
上記構成を有するコラーゲン生成促進ランプ１によれば、上述した波長の赤色光を照射することにより、人体の皮膚におけるコラーゲンの生成を促し、これにより皮膚のはり、つや、うるおいが保たれるという効果を期待することができる。
また上記赤色光を発光ダイオード１５によって照射することで軽量化を図ることができ、上述したような重量物を固定できないような天井Ｒにも固定することが可能となっている。
例えば本実施例のようにハウジング１３の長さが１５００ｍｍであるコラーゲン生成促進ランプ１の重量は、一台につき６ｋｇ程度とすることができ、つりさげられた梁３に薄い天井板４を装着したような天井Ｒであっても、当該天井Ｒの補強を行わずに固定をすることができる。
これに対し、従来のハロゲンランプや白熱球によって赤色光を照射するコラーゲン生成促進ランプの場合、これらが発生させる熱対策として冷却手段を設けなければならず、重量が増大して天井Ｒに直接固定することが困難であった。
また、本実施例のハウジング１３は薄板状の鉄板を折り曲げて作成することができ、また照射部１１についてはハウジング１３の長さに併せて基板１４の長さと発光ダイオード１５の数を対応させればよいことから、任意の寸法のコラーゲン生成促進ランプ１を容易に作成することできる。
【００１４】
なお、上記実施例ではコラーゲン生成促進ランプ１を天井Ｒに固定しているが、これを壁面に固定することも可能である。具体的には、薄い壁板の背面に梁が設けられたような、重量物を直接固定することができない壁面であっても、上記第１ハウジング１３ａを上記梁３に固定することにより、壁面の補強を行わずにこれを装着することができる。
【符号の説明】
【００１５】
１  コラーゲン生成促進ランプ        ２  調光制御ユニット
１１  照射部                        １２  ドライバーユニット
１３  ハウジング                    １３ａ  第１ハウジング
１３ｂ  第２ハウジング              １４  基板
１５  発光ダイオード
【図１】
0003190435.tif 000003
【図２】
0003190435.tif 000004
【図３】
0003190435.tif 000005